(57)【要約】【課題】底面を開放するキャップ部材と、周囲に設けるフラップを介して別部材を用いずに連結してキャップ部材の底面を塞ぐベース部材とで構成する梱包箱において、開梱時の破損をなくして再使用を可能とする。【解決手段】キャップ部材１０には、切り起こして開閉自在に切り起こし蓋１２を設けるとともに、その切り起こし蓋で開閉する開閉窓１４の窓縁に切欠き１５を設ける。一方、ベース部材２０には、折り曲げて、首部２５を切欠きに入れて頭部２４を切欠き縁１７に掛け止める折り曲げ係止片２３を設ける。また、切り起こし蓋に、差込み突部１３を形成する一方、折り曲げ係止片の首部２５に、差込み突部を差し込む差込み孔２５ａをあける。【選択図】        図４
2005001700.tif 000002
【特許請求の範囲】
【請求項１】
底面を開放するキャップ部材と、そのキャップ部材に、周囲に設けるフラップを介して連結して前記キャップ部材の底面を塞ぐベース部材とで構成する梱包箱において、
前記キャップ部材に、切り起こして開閉自在に切り起こし蓋を設けるとともに、その切り起こし蓋で開閉する開閉窓の窓縁に切欠きを設ける一方、前記ベース部材に、折り曲げて首部を前記切欠きに入れて頭部を切欠き縁に掛け止める折り曲げ係止片を設けることを特徴とする、梱包箱。
【請求項２】
前記切り起こし蓋に差込み突部を形成する一方、前記折り曲げ係止片の首部に、前記差込み突部を差し込む差込み孔をあけることを特徴とする、請求項１に記載の梱包箱。
【請求項３】
前記開閉窓を、前記折り曲げ係止片の頭部を曲げることなく通過し得る大きさとすることを特徴とする、請求項１または２に記載の梱包箱。
【請求項４】
内部に指を入れて前記折り曲げ係止片の頭部に触れることができる開口または切欠きを、前記キャップ部材と前記ベース部材のいずれか一方または双方に設けることを特徴とする、請求項１、２または３に記載の梱包箱。
【請求項５】
四角い箱形状とし、対向側面の複数対向個所でそれぞれ前記ベース部材の前記折り曲げ係止片を前記キャップ部材に掛け止めることを特徴とする、請求項１、２、３または４に記載の梱包箱。
【発明の詳細な説明】
【０００１】
【発明の属する技術分野】
この発明は、例えば、複写機・プリンタ・ファクシミリ等の画像形成装置、その画像形成装置に取り付けるステイプラ・孔あけ装置・シート折り装置等の周辺機などの製品を搬送するときに、それらの製品を包装して梱包するのに使用する、段ボール製等の梱包箱に関する。
【０００２】
【従来の技術】
従来、この種の梱包箱の中には、底面を開放するキャップ部材と、そのキャップ部材に、周囲に設けるフラップを介して連結してキャップ部材の底面を塞ぐベース部材とで構成するものがある。
【０００３】
【特許文献１】実用新案登録第２５７９０８０号公報
例えば特許文献１に記載される梱包箱では、ベース部材上に製品を載置してキャップ部材を被せ、キャップ部材とシート部材周囲のフラップとを、別部材である樹脂製等のジョイント部材を用いて連結して包装していた。
【０００４】
しかし、このような梱包箱では、ジョイント部材を別途必要とするから、部品点数が増加するとともに、その分、部品の保管管理が面倒となる問題があった。
【０００５】
【特許文献２】特開平１１−１７１１６２号公報
従来の梱包箱の中には、例えば特許文献２に記載されるように、ベース部材のフラップに、頭部と首部とよりなる矢印状の折り曲げ係止片を設け、その折り曲げ係止片の頭部をキャップ部材の係止孔に差し込んで孔縁に掛け止め、キャップ部材とベース部材とを、別部材を用いずに連結して包装するものもあった。
【０００６】
【発明が解決しようとする課題】
ところが、特許文献２に記載されるような梱包箱では、梱包を解くとき、キャップ部材の係止孔から折り曲げ係止片の頭部を強引に引き抜かなければならず、無理に引き抜くことにより折り曲げ係止片を破損し、仮に再使用するようなときには、折り曲げ係止片の掛け止めが不十分となったり、最悪の場合には再使用不可能となったりする問題があった。
【０００７】
そこで、この発明の第１の目的は、底面を開放するキャップ部材と、そのキャップ部材に、周囲に設けるフラップを介して別部材を用いずに直接連結してキャップ部材の底面を塞ぐベース部材とで構成する梱包箱において、開梱時の破損をなくして再使用を可能とすることにある。
【０００８】
この発明の第２の目的は、そのような梱包箱において、キャップ部材とベース部材の連結を強固にして包装の信頼性を向上することにある。
【０００９】
この発明の第３の目的は、上述したような梱包箱において、梱包時および開梱時の作業性を高めることにある。
【００１０】
この発明の第４の目的は、上述したような梱包箱において、特に開梱時の作業性を高めることにある。
【００１１】
この発明の第５の目的は、四角い箱形状の上述した梱包箱において、キャップ部材とベース部材とをバランスを取って確実に連結して包装の信頼性を向上することにある。
【００１２】
【課題を解決するための手段】
そのため、請求項１に記載の発明は、上記第１の目的を達成すべく、底面を開放するキャップ部材と、そのキャップ部材に、周囲に設けるフラップを介して連結してキャップ部材の底面を塞ぐベース部材とで構成する梱包箱において、
キャップ部材に、切り起こして開閉自在に切り起こし蓋を設けるとともに、その切り起こし蓋で開閉する開閉窓の窓縁に切欠きを設ける一方、ベース部材に、折り曲げて首部を切欠きに入れて頭部を切欠き縁に掛け止める折り曲げ係止片を設ける、ことを特徴とする。
【００１３】
請求項２に記載の発明は、上記第２の目的も達成すべく、請求項１に記載の梱包箱において、切り起こし蓋に差込み突部を形成する一方、折り曲げ係止片の首部に、差込み突部を差し込む差込み孔をあける、ことを特徴とする。
【００１４】
請求項３に記載の発明は、上記第３の目的も達成すべく、請求項１または２に記載の梱包箱において、開閉窓を、折り曲げ係止片の頭部を曲げることなく通過し得る大きさとする、ことを特徴とする。
【００１５】
請求項４に記載の発明は、上記第４の目的も達成すべく、請求項１、２または３に記載の梱包箱において、内部に指を入れて折り曲げ係止片の頭部に触れることができる開口または切欠きを、キャップ部材とベース部材のいずれか一方または双方に設ける、ことを特徴とする。
【００１６】
請求項５に記載の発明は、上記第５の目的も達成すべく、請求項１、２、３または４に記載の梱包箱において、四角い箱形状とし、対向側面の複数対向個所でそれぞれベース部材の折り曲げ係止片をキャップ部材に掛け止める、ことを特徴とする。
【００１７】
【発明の実施の形態】
以下、図面を参照しつつ、この発明の実施の形態につき詳細に説明する。
図１には、この発明による梱包箱の外観を示す。
【００１８】
図示梱包箱は、直方体型の四角い箱形状で、底面を開放する段ボール製のキャップ部材１０と、そのキャップ部材１０に、周囲に設けるフラップ２１Ａ・２１Ｂ・２２Ａ・２２Ｂを介して連結してキャップ部材１０の底面を塞ぐ段ボール製のベース部材２０とで構成する。
【００１９】
キャップ部材１０は、長辺側の対向側面１１Ａ・１１Ｂの、間隔を隔てた２つの対向個所にそれぞれ切り起こし蓋１２を設ける。個々の切り起こし蓋１２は、図２に示すように、Ｕ字状に切り溝１２ａを入れて幅ａの矩形状に形成し、上辺を折り曲げ線１２ｂとして切り起こして開閉自在とし、下辺から下向きに差込み突部１３を突出する。
【００２０】
そして、切り溝１２ａを入れて形成した、つまり切り起こし蓋１２で開閉する開閉窓１４（図４参照）には、下辺の窓縁に矩形状の切欠き１５を設ける。切欠き１５は、切り起こし蓋１２の幅ａより小幅な幅ｂとし、中央に、切り起こし蓋１２を閉めたとき、その切り起こし蓋１２の上述した差込み突部１３が入り込むようになっている。
【００２１】
切欠き１５の少し下には、図示例では楕円形状の開口１６を設ける。開口１６は、１または数本の指が奥まで入る大きさとする。
【００２２】
一方、ベース部材２０は、図１に示すように、長方形のシート状で、四辺にフラップ２１Ａ・２１Ｂ・２２Ａ・２２Ｂを有する。そのうち、長辺側のフラップ２１Ａ・２１Ｂには、間隔を隔てた２つの対向個所にそれぞれ先端から突出して折り曲げ係止片２３を設ける。
【００２３】
個々の折り曲げ係止片２３は、図３に示すように、切り起こし蓋１２の幅ａより小幅な幅ｃの矩形状の頭部２４と、切欠き１５の幅ｂより小幅な幅ｄの首部２５とで構成する。そして、首部２５には、差込み孔２５ａをあけ、基部に折り曲げ線２５ｂを設ける。そして、個々の折り曲げ係止片２３は、その折り曲げ線２５ｂで、各フラップ２１Ａ・２１Ｂに対して折り曲げ自在とする。
【００２４】
各折り曲げ係止片２３の少し下には、図示例では楕円形状の開口２６を設ける。開口２６は、キャップ部材１０の開口１６とほぼ同じ大きさとする。
【００２５】
そして、製品を梱包するときは、ベース部材２０上に製品を載せ、四辺のフラップ２１Ａ・２１Ｂ・２２Ａ・２２Ｂを上向きに折り曲げてキャップ部材１０を被せ、短辺側のフラップ２２Ａ・２２Ｂをキャップ部材１０内に入れ、長辺側のフラップ２１Ａ・２１Ｂをキャップ部材１０の外側に出す。
【００２６】
このとき、キャップ部材１０の各切り起こし蓋１２には、ベース部材２０の各折り曲げ係止片２３が対応する位置となり、キャップ部材１０の各開口１６には、ベース部材２０の各開口２６が対応する位置となってそれらの開口１６・２６を通して梱包箱の内外が連通するようになっている。
【００２７】
そして、図４に示すように、キャップ部材１０の各切り起こし蓋１２を外側に開いてからベース部材２０の各折り曲げ係止片２３を内側に折り曲げ、頭部２４を開閉窓１４を通してキャップ部材１０の内部に倒し、首部２５を切欠き１５に入れて頭部２５を切欠き縁１７に掛け止める。
【００２８】
それから、切り起こし蓋１２を閉めて差込み突部１３を差込み孔２５ａに差し込み、図５（Ａ）および（Ｂ）に示す状態とする。このようにすると、差込み孔２５ａに差込み突部１３を差し込んで切り起こし蓋１２の開閉を止めるとともに、キャップ部材１０の切欠き縁１７に頭部２４を掛け止める折り曲げ係止片２３の抜けを防止し、キャップ部材１０とベース部材２０の連結を強固にすることができる。
【００２９】
これにより、対向側面１１Ａ・１１Ｂの２つの対向個所でそれぞれベース部材２０の折り曲げ係止片２３をキャップ部材１０に掛け止めし、キャップ部材１０とベース部材２０とをバランスを取って確実に連結することができる。
【００３０】
開梱時は、図５（Ｂ）に矢印Ａで示すように開口１６・２６から梱包箱の内部に指３０を入れて折り曲げ係止片２３の頭部２４を押し、矢印Ｂで示すように折り曲げ係止片２３を起こして差込み孔２５ａから差込み突部１３を外しながら、矢印Ｃで示すように切り起こし蓋１２を外側に開き、キャップ部材１０に対する各折り曲げ係止片２３の掛け止めを外す。
【００３１】
このように、包装箱の内部に指３０を入れて折り曲げ係止片２３の頭部２４に触れることができる開口１６・２６を、キャップ部材１０とベース部材２０の双方に設けると、キャップ部材１０の切欠き縁１７に対する各折り曲げ係止片２３の掛け止め解除を容易とし、特に開梱時の作業性を高めることができる。
【００３２】
なお、個々の折り曲げ係止片２３の矩形状の頭部２４は、各切り起こし蓋１２の幅ａより小幅な幅ｃとするから、曲げることなく開閉窓１４を通過し得る大きさとし、開閉窓１４に対する折り曲げ係止片２３の頭部２４の通過を容易として梱包時および開梱時の作業性を高めることができる。
【００３３】
ところで、上述した例では、包装箱の内部に指３０を入れて折り曲げ係止片２３の頭部２４に触れることができる開口１６・２６を、キャップ部材１０とベース部材２０の双方に設けた。しかし、開口に代えて、キャップ部材やフラップの縁まで切り欠いた切欠きでもよく、キャップ部材とベース部材の双方に限らず、それらが重なってないところではいずれか一方に設けるようにすればよい。
【００３４】
【発明の効果】
以上説明したとおり、この発明によれば、キャップ部材に、切り起こして開閉自在に切り起こし蓋を設けるとともに、その切り起こし蓋で開閉する開閉窓の窓縁に切欠きを設ける一方、ベース部材に、折り曲げて首部を切欠きに入れて頭部を切欠き縁に掛け止める折り曲げ係止片を設けるので、別部材を用いることなく、キャップ部材とベース部材とを連結することができる。
【００３５】
また、開梱時は、切り起こし蓋を開いて折り曲げ係止片を起こせば、キャップ部材の切欠き縁に対する折り曲げ係止片の頭部の掛け止めを解除し得るから、折り曲げ係止片を破損するおそれがなく、再使用を可能とすることができる。
【００３６】
請求項２に記載の発明によれば、切り起こし蓋に差込み突部を形成する一方、折り曲げ係止片の首部に、差込み突部を差し込む差込み孔をあけるので、差込み孔に差込み突部を差し込んで切り起こし蓋の開閉を止めるとともに、キャップ部材の切欠き縁に頭部を掛け止める折り曲げ係止片の抜けを防止し、キャップ部材とベース部材の連結を強固にして包装の信頼性を向上することができる。
【００３７】
請求項３に記載の発明によれば、開閉窓を、折り曲げ係止片の頭部を曲げることなく通過し得る大きさとするので、開閉窓に対する折り曲げ係止片の頭部の通過を容易として梱包時および開梱時の作業性を高めることができる。
【００３８】
請求項４に記載の発明によれば、内部に指を入れて折り曲げ係止片の頭部に触れることができる開口または切欠きを、キャップ部材とベース部材のいずれか一方または双方に設けるので、開梱時は、開口または切欠きを通して内部に指を入れて折り曲げ係止片の頭部を押し、キャップ部材の切欠き縁に対する掛け止め解除を容易とし、特に開梱時の作業性を高めることができる。
【００３９】
請求項５に記載の発明によれば、四角い箱形状とし、対向側面の複数対向個所でそれぞれベース部材の折り曲げ係止片をキャップ部材に掛け止めるので、キャップ部材とベース部材とをバランスを取って確実に連結して包装の信頼性を向上することができる。
【図面の簡単な説明】
【図１】この発明による梱包箱の外観斜視図である。
【図２】その梱包箱を構成するキャップ部材の１つの切り起こし蓋まわりを正面から見て示す拡大図である。
【図３】その梱包箱を構成するベース部材の１つの折り曲げ係止片まわりを正面から見て示す拡大図である。
【図４】キャップ部材に対する１つの折り曲げ係止片の掛け止めを説明する斜視図である。
【図５】（Ａ）は、（Ｂ）のＭ−Ｍ線位置の矢示方向断面図、（Ｂ）は、図１のＮ−Ｎ線位置の矢示方向断面図である。
【符号の説明】
１０    キャップ部材
１１Ａ  側面
１１Ｂ  側面
１２    切り起こし蓋
１３    差込み突部
１４    開閉窓
１５    切欠き
１６    開口
１７    切欠き縁
２０    ベース部材
２１Ａ  フラップ
２１Ｂ  フラップ
２２Ａ  フラップ
２２Ｂ  フラップ
２３    折り曲げ係止片
２４    頭部
２５    首部
２５ａ  差込み孔
２５ｂ  折り曲げ線
２６    開口
３０    指
【図１】
2005001700.tif 000003
【図２】
2005001700.tif 000004
【図３】
2005001700.tif 000005
【図４】
2005001700.tif 000006
【図５】
2005001700.tif 000007